(57)【特許請求の範囲】
【請求項１】
前片と左右の側片とを備えて平面略Ｕ型を呈しフォークのアール部近傍の垂直片に前方から嵌入されるストッパ本体と、ストッパ本体の前片の後面に付設されてフォークの垂直片の前面に当合する緩衝体と、ストッパ本体の両側片間に回動可能且つ着脱可能に架設されてフォークの垂直片からのストッパ本体の離脱を阻止する軸体と、ストッパ本体の両側片間に位置されて軸体に外嵌される筒体と、軸体の一端に付設されて軸体の軸心廻りに回動可能な鉤体と、ストッパ本体に設けられて鉤体の掛脱に依り軸体の抜止めを行なう受体と、軸体の軸心廻りの回動を阻止する廻止手段と、を備え、
廻止手段は、筒体に外嵌されてフォークの垂直片に弾力的に当合される弾性筒体を備えていることを特徴とするフォークストッパ装置。
【請求項２】
前記軸体は、ストッパ本体の両側片に穿設された貫孔に挿脱可能に挿通され、
前記受体は、ストッパ本体の一方の側片に基端が植設された短軸と、該短軸に付設された鍔板とを備えることを特徴とする請求項１に記載のフォークストッパ装置。
【請求項３】
前片と左右の側片とを備えて平面略Ｕ型を呈しフォークのアール部近傍の垂直片に前方から嵌入されるストッパ本体と、ストッパ本体の前片の後面に付設されてフォークの垂直片の前面に当合する緩衝体と、ストッパ本体の両側片間に回動可能且つ着脱可能に架設されてフォークの垂直片からのストッパ本体の離脱を阻止する軸体と、ストッパ本体の両側片間に位置されて軸体に外嵌される筒体と、軸体の一端に付設されて軸体の軸心廻りに回動可能な鉤体と、ストッパ本体に設けられて鉤体の掛脱に依り軸体の抜止めを行なう受体と、軸体の軸心廻りの回動を阻止する廻止手段と、を備え、
前記軸体は、ストッパ本体の両側片に穿設された貫孔に挿脱可能に挿通され、
前記受体は、ストッパ本体の一方の側片に基端が植設された短軸と、該短軸に付設された鍔板とを備え、
廻止手段は、鉤体とストッパ本体との間に着脱可能に取付けられる蝶ネジを備えていることを特徴とするフォークストッパ装置。
【請求項４】
前片と左右の側片とを備えて平面略Ｕ型を呈しフォークのアール部近傍の垂直片に前方から嵌入されるストッパ本体と、ストッパ本体の前片の後面に付設されてフォークの垂直片の前面に当合する緩衝体と、ストッパ本体の両側片間に回動可能且つ着脱可能に架設されてフォークの垂直片からのストッパ本体の離脱を阻止する軸体と、ストッパ本体の両側片間に位置されて軸体に外嵌される筒体と、軸体の一端に付設されて軸体の軸心廻りに回動可能な鉤体と、ストッパ本体に設けられて鉤体の掛脱に依り軸体の抜止めを行なう受体と、軸体の軸心廻りの回動を阻止する廻止手段と、を備え、
前記軸体は、ストッパ本体の両側片に穿設された貫孔に挿脱可能に挿通され、
前記受体は、ストッパ本体の一方の側片に基端が植設された短軸と、該短軸に付設された鍔板とを備え、
廻止手段は、鉤体の鉤部を開閉すべく鉤体に設けられて常時閉状態に保たれる開閉体を備えていることを特徴とするフォークストッパ装置。
【発明の詳細な説明】
【技術分野】
【０００１】
本発明は、例えばコンテナ等の扱物を運搬するフォークリフトに適用されてフォークの差込位置を規制するフォークストッパ装置の改良に関する。
【背景技術】
【０００２】
従来、コンテナ等の扱物を運搬するフォークリフトに於ては、荷役時にフォークのアール部に扱物が当たらない様に、フォークの差込位置を規制する為のフォークストッパ装置を備えている。
フォークストッパ装置としては、例えば特許文献１に記載されたものや特許文献２に記載されたものが知られている。
【０００３】
前者のものは、平面略Ｕ型を呈してフォークの垂直片に前方から嵌入されるストッパ本体と、ストッパ本体の前片の前面に付設されて扱物の後面に当合される緩衝体と、ストッパ本体の両側片に架設されてフォークの垂直片からストッパ本体の離脱を阻止するボルトと、ボルトに螺合されて抜止めを行なうナットと、から構成されている。
【０００４】
後者のものは、平面略Ｕ型を呈してフォークの垂直片に前方から嵌入されるストッパ本体と、ストッパ本体の前片の前面に付設されて扱物の後面に当合される緩衝体と、ストッパ本体の両側片に架設されてフォークの垂直片からストッパ本体の離脱を阻止する頭付ピンと、頭付ピンにワッシャを介して装着されて抜止めを行なう抜止めピンと、から構成されている。
【先行技術文献】
【特許文献】
【０００５】
【特許文献１】特開平９−２９０９９８号公報
【特許文献１】特開２００１−３０２１９４号公報
【発明の概要】
【発明が解決しようとする課題】
【０００６】
然しながら、従来の何れのものも、フォークのアール部の亀裂等を点検する際には、フォークの垂直片に対してストッパ本体を脱着せねばならないが、この時、ナットを螺脱したり抜止ピンを抜くのに工具が必要であったので、ストッパ本体を容易に着脱する事ができなかった。
【０００７】
本発明は、叙上の問題点に鑑み、これを解消する為に創案されたもので、その課題とする処は、工具を用いずにストッパ本体の脱着が行なえる様にしたフォークストッパ装置を提供するにある。
【課題を解決するための手段】
【０００８】
本発明のフォークストッパ装置は、基本的には、前片と左右の側片とを備えて平面略Ｕ型を呈しフォークのアール部近傍の垂直片に前方から嵌入されるストッパ本体と、ストッパ本体の前片の後面に付設されてフォークの垂直片の前面に当合する緩衝体と、ストッパ本体の両側片間に回動可能且つ着脱可能に架設されてフォークの垂直片からのストッパ本体の離脱を阻止する軸体と、ストッパ本体の両側片間に位置されて軸体に外嵌される筒体と、軸体の一端に付設されて軸体の軸心廻りに回動可能な鉤体と、ストッパ本体に設けられて鉤体の掛脱に依り軸体の抜止めを行なう受体と、軸体の軸心廻りの回動を阻止する廻止手段と、から構成した事に特徴が存する。
【０００９】
ストッパ本体がフォークのアール部近傍の垂直片に前方から嵌入されると共に、筒体がストッパ本体の両側片間に位置される。軸体がストッパ本体の両側片と筒体とに挿通される。軸体が挿通されると、廻止手段に抗して鉤体が軸体の軸心廻りに回動されて受体に掛合される。鉤体が受体に掛合されると、軸体がその軸心方向の移動が阻止されて所謂抜止めされる。そして、軸体が廻止手段に依りその軸心廻りの回動が阻止されて所謂廻止めされる。そうすると、軸体と筒体に依りフォークの垂直片からのストッパ本体の離脱が阻止される。
【００１０】
鉤体を回動させて受体に掛脱させる事に依り軸体の抜止めを行う様にしたので、工具を用いずにストッパ本体の脱着が行える。
緩衝体をストッパ本体の前片の後面に付設して扱物に直接接触しない様にしたので、緩衝体の損傷や損耗が軽減されて寿命の延伸を図る事ができる。
廻止手段に依り軸体の軸心廻りの回動を阻止する様にしたので、振動等に依り軸体が抜けてストッパ本体が不用意に離脱する惧れがない。
【００１１】
廻止手段は、筒体に外嵌されてフォークの垂直片に弾力的に当合される弾性筒体に依り構成されているのが好ましい。この様にすれば、弾性筒体の弾性に依り筒体並びに軸体の廻止めが行え、構造が単純であると共に、コストの低減も図る事ができる。
【００１２】
廻止手段は、鉤体とストッパ本体との間に着脱可能に取付けられる蝶ネジに依り構成されているのが好ましい。この様にすれば、蝶ネジを螺着又は螺脱するだけで鉤体の廻止めが行え、鉤体の廻止めを確実に行えるので、それだけ安全性が向上する。
【００１３】
廻止手段は、鉤体の鉤部を開閉すべく鉤体に設けられて常時閉状態に保たれる開閉体に依り構成されているのが好ましい。この様にすれば、鉤体のみを加工すれば済むので、構造の簡単化を図る事ができる。
【発明の効果】
【００１４】
本発明に依れば、次の様な優れた効果を奏する事ができる。
（１）ストッパ本体、緩衝体、軸体、筒体、鉤体、受体、廻止手段とで構成し、とりわけストッパ本体の両側片間に回動可能且つ着脱可能に架設されてフォークの垂直片からのストッパ本体の離脱を阻止する軸体と、ストッパ本体の両側片間に位置されて軸体に外嵌される筒体と、軸体の一端に付設されて軸体の軸心廻りに回動可能な鉤体と、ストッパ本体に設けられて鉤体の掛脱に依り軸体の抜止めを行なう受体とを備えているので、軸体をストッパ本体に挿入すると共に、鉤体を回動して受体に掛合させるだけで軸体を抜止め固定する事ができ、工具を一切用いずにストッパ本体の脱着が行なえる。
（２）軸体の軸心廻りの回動を阻止する廻止手段を備えているので、振動等に依り軸体が軸心廻り回動して受体から鉤体が離脱されて軸体がストッパ本体から脱落する惧れがない。
（３）  緩衝体をストッパ本体の前片の後面に設けているので、緩衝体が扱物に直接接触する事がない。その結果、緩衝体が損傷したり損耗したりする事がなく、寿命の延伸を図る事ができる。
【図面の簡単な説明】
【００１５】
【図１】本発明の第一例に係るフォークストッパ装置を示す要部側面図。
【図２】図１の平面図。
【図３】図１の分解斜視図。
【図４】本発明の第二例に係るフォークストッパ装置を示す要部側面図。
【図５】本発明の第三例に係るフォークストッパ装置を示す要部側面図。
【発明を実施するための形態】
【００１６】
以下、本発明の実施の形態を、図面に基づいて説明する。
図１〜３に示す第一例に於て、フォークストッパ装置１は、ストッパ本体２、緩衝体３、軸体４、筒体５、鉤体６、受体７、廻止手段８とからその主要部が構成されて居り、図略しているが、コンテナ等の扱物を運搬するフォークリフトに適用される。
【００１７】
フォークリフトは、昇降する左右のフォーク５０を備えている。各フォーク５０は、水平片５１と、これの後方からアール部５２を介して上方へ樹立する垂直片５３とを備えている。
【００１８】
ストッパ本体２は、前片９と左右の側片１０とを備えて平面略Ｕ型を呈しフォーク５０のアール部５２近傍の垂直片５３に前方から嵌入されるもので、この例では、板状の前片９と、これの両端から後方へ延出された同じく板状の左右の側片１０と、これらの上部に跨って付設された平面略Ｕ型の上片１１と、前片９の下部寄りの後面に付設された角棒状の下片１２とを備えて居り、前片９の下端がフォーク５０の水平片５１の上面に当合されると共に、両側片１０が前片９より下方に長く形成されている。
【００１９】
緩衝体３は、ストッパ本体２の前片９の後面に付設されてフォーク５０の垂直片５３の前面に当合するもので、この例では、ゴム等の弾性材料に依り作製されて板状を呈して居り、ストッパ本体２の上片１１と下片１２との間で前片９の後面に焼付けや接着剤等に依り付着されている。
【００２０】
軸体４は、ストッパ本体２の両側片１０間に回動可能且つ着脱可能に架設されてフォーク５０の垂直片５３からのストッパ本体２の離脱を阻止するもので、この例では、丸棒状を呈し、ストッパ本体２の両側片１０の後部に左右方向に穿設された貫孔１３に挿脱される。
【００２１】
筒体５は、ストッパ本体２の両側片１０間に位置されて軸体４に外嵌されるもので、この例では、金属等の剛性材料に依り作製されて円筒状を呈して居り、ストッパ本体２の両側片１０の内面間より若干小さい長さと、軸体４に遊嵌される内径とを有している。
【００２２】
鉤体６は、軸体４の一端に付設されて軸体４の軸心廻りに回動可能なもので、この例では、基端が軸体４の一端に溶接等に依り付設されていると共に、先端寄りには、略Ｕ型に切除された鉤部１４が形成されている。
【００２３】
受体７は、ストッパ本体２に設けられて鉤体６の掛脱に依り軸体４の抜止めを行なうもので、この例では、ストッパ本体２の一方の側片１０に基端が溶接等に依り植設された短軸１５と、これの先端に溶接等に依り付設された鍔板１６とを備えている。
【００２４】
廻止手段８は、軸体４の軸心廻りの回動を阻止するもので、この例では、筒体５に外嵌されてフォーク５０の垂直片５３に弾力的に当合される弾性筒体１７に依り構成されている。
弾性筒体１７は、ゴムホース等の弾性材料に依り作製されて円筒状を呈して居り、筒体５と略同じ長さと筒体５に遊嵌される内径とを備え、フォーク５０の垂直片５３に弾力的に当合されて筒体５を軸体４に強圧して供回りさせない外径を備えている。
【００２５】
次に、この様な構成に基づいてその作用を述解する。
ストッパ本体２がフォーク５０のアール部５２近傍の垂直片５３に前方から嵌入されると共に、廻止手段８の弾性筒体１７が筒体５に外嵌されてこれらがストッパ本体２の両側片１０間に位置される。
緩衝体３と廻止手段８の弾性筒体１７とがフォーク５０の垂直片５３に前後から弾圧された状態で、軸体４がストッパ本体２の両側片１０の貫孔１３と筒体５の筒穴とに挿通される。
【００２６】
軸体４が挿通されると、廻止手段８の弾性筒体１７の弾性に抗して、鉤体６が軸体４の軸心廻りに回動されてその鉤部１４が受体７に掛合される。鉤体６が受体７に掛合されると、軸体４がその軸心方向の移動が阻止されて所謂抜止めされる。
そして、軸体４が廻止手段８の弾性筒体１７の弾性に依りその軸心廻りの回動が阻止されて所謂廻止めされる。そうすると、軸体４と筒体５に依りフォーク５０の垂直片５３からのストッパ本体２の離脱が阻止される。
【００２７】
フォーク５０のアール部５２の亀裂等を点検する際には、フォーク５０からストッパ本体２が離脱される。ストッパ本体２の離脱に際しては、前述の逆の要領で行われる。
【００２８】
鉤体６を回動させて受体７に掛脱させる事に依り軸体４の抜止めを行う様にしたので、工具を用いずにストッパ本体２の脱着が行える。
緩衝体３をストッパ本体２の前片９の後面に付設して扱物に直接接触しない様にしたので、緩衝体３の損傷や損耗が軽減されて寿命の延伸を図る事ができる。
廻止手段８の弾性筒体１７に依り軸体４の軸心廻りの回動を阻止する様にしたので、振動等に依り軸体４が抜けてストッパ本体２が不用意に離脱する惧れがない。
廻止手段８を弾性筒体１７に依り構成したので、緩衝体３と相俟って扱物やフォーク５０からの衝撃や振動を吸収する事ができ、これらからストッパ本体２等を防護する事ができる。
廻止手段８を弾性筒体１７に依り構成し、弾性筒体１７を筒体５に外嵌させているので、筒体５が芯材として機能し、軸体４の挿入が容易になると共に、弾性筒体１７の大きな変形を防止する事ができる。
【００２９】
次に、本発明の第二例を、図４に基づいて説明する。
第二例に係るフォークストッパ装置１は、廻止手段８を、鉤体６とストッパ本体２との間に着脱可能に取付けられる蝶ネジ１８に依り構成したものである。
つまり、第一例に係る弾性筒体１７に代えて、鉤体６とストッパ本体２との間に蝶ネジ１８を設けたものであり、この蝶ネジ１８に依り鉤体６及び軸体４の廻止めを行ない、ストッパ本体２からの軸体４の抜止めを行う様にしている。
廻止手段８は、鉤体６に穿設されて蝶ネジ１８が挿通される透孔１９と、ストッパ本体２の一方の側片１０に螺設されて蝶ネジ１８が螺合される螺孔（図示せず）とを備えている。
【００３０】
この様なものは、蝶ネジ１８に依り鉤体６がストッパ本体２に固定されるので、鉤体６及び軸体４が回動する事がなく、鉤体６が受体７から離脱して軸体４がストッパ本体２から抜ける惧れがない。
【００３１】
次に、本発明の第三例を、図５に基づいて説明する。
第三例に係るフォークストッパ装置１は、廻止手段８を、鉤体６の鉤部１４を開閉すべく鉤体６に設けられて常時閉状態に保たれる開閉体２０に依り構成したものである。
つまり、第一例に係る弾性筒体１７に代えて、鉤体６に開閉体２０を設けたものであり、この開閉体２０に依り鉤体６及び軸体４の廻止めを行ない、ストッパ本体２からの軸体４の抜止めを行う様にしている。
廻止手段８は、鉤体６の鉤部１４近傍に鉤部１４を開閉すべく回動可能に設けられた開閉体２０と、開閉体２０を常時閉状態にすべくこれと鉤体６との間に設けられた弾性体（図示せず）とを備えている。
【００３２】
この様なものは、弾性体に抗して開閉体２０を開状態にすれば、受体７から鉤体６を離脱する事ができると共に、弾性体に依り開閉体２０が常時閉状態にされている際には、鉤体６と受体７との掛合状態が維持される。従って、振動等に依り鉤体６と受体７との掛合が不用意に解除される事がない。
【００３３】
尚、廻止手段８は、第三の例では、開閉体２０と弾性体（図示せず）とを備えていたが、これに限らず、例えば開閉体２０自体を弾性材料で作製して鉤体６の鉤部１４を開閉すると共に、弾性体（図示せず）を割愛しても良い。
【符号の説明】
【００３４】
１…フォークストッパ装置、２…ストッパ本体、３…緩衝体、４…軸体、５…筒体、６…鉤体、７…受体、８…廻止手段、９…前片、１０…側片、１１…上片、１２…下片、１３…貫孔、１４…鉤部、１５…短軸、１６…鍔板、１７…弾性筒体、１８…蝶ネジ、１９…透孔、２０…開閉体、５０…フォーク、５１…水平片、５２…アール部、５３…垂直片。
【図１】
0005669301.tif 000002
【図２】
0005669301.tif 000003
【図３】
0005669301.tif 000004
【図４】
0005669301.tif 000005
【図５】
0005669301.tif 000006